(57)【要約】【課題】  構造が簡単であり、トレイドアが外れることを防止でき、しかも、フロントパネルの開口部から内部の機構を見え難くすることができ、外観が良いとともに不都合が生じない光ディスク装置を提供する。【解決手段】  開口部１ａを有するフロントパネル１と、開口部１ａから出入りし、光ディスクを載置するディスクトレイと、開口部１ａを塞ぐドア本体２ａとこのドア本体２ａから略コ字形に突出した２つのドアアーム２ｂ、２ｃとドアアーム２ｂ、２ｃをフロントパネル１に回動可能に取付ける２つの回転軸２ｄ、２ｄとを有し、ディスクトレイに押されて開くトレイドア２と、一方の回転軸２ｄに巻回されトレイドア２を閉じる方向に付勢するバネ４とを備え、フロントパネル１の開口部１ａの下壁１ｄに一体に設けられ上向きに突出するリブ５の両端部を、ドアアーム２ｂ、２ｃに近接する位置まで延設した。【選択図】  図１
2007328843.tif 000002
【特許請求の範囲】
【請求項１】
開口部を有するフロントパネルと、前記開口部から出入りし、光ディスクを載置するディスクトレイと、前記開口部を塞ぐドア本体とこのドア本体から略コ字形に突出した２つのドアアームとこのドアアームを前記フロントパネルに回動可能に取付ける２つの回転軸とを有し、前記ディスクトレイに押されて開くトレイドアと、一方の前記回転軸に巻回され前記トレイドアを閉じる方向に付勢するバネとを備えた光ディスク装置において、前記フロントパネルの前記開口部の下壁に一体に設けられ上向きに突出するリブの両端部を、前記ドアアームに近接する位置まで延設したことを特徴とする光ディスク装置。
【請求項２】
開口部を有するフロントパネルと、前記開口部から出入りし、光ディスクを載置するディスクトレイと、前記開口部を塞ぐドア本体とこのドア本体から略コ字形に突出した２つのドアアームとこのドアアームを前記フロントパネルに回動可能に取付ける２つの回転軸とを有し、前記ディスクトレイに押されて開くトレイドアと、一方の前記回転軸に巻回され前記トレイドアを閉じる方向に付勢するバネとを備えた光ディスク装置において、前記フロントパネルの前記開口部の下壁に、上向きに突出し両端部が前記ドアアームに近接する箇所に位置するリブを設けたことを特徴とする光ディスク装置。
【発明の詳細な説明】
【技術分野】
【０００１】
本発明は、フロントパネルの開口部を開閉するトレイドアを有する光ディスク装置に関するものである。
【背景技術】
【０００２】
第１の従来技術を図４、図５、図６に示す。この従来の光ディスク装置は、図４、図５、図６に示すように、光ディスク装置の前面を覆い、開口部１１１ａを有したフロントパネル１１１と、開口部１１１ａから出入りするディスクトレイ１１２と、蓋部１１３ａとドアアーム１１３ｂ、１１３ｃと回転軸１１３ｄ、１１３ｅとを有し、ディスクトレイ１１２に押されて開くトレイドア１１３と、回転軸１１３ｅに巻回されトレイドア１１３を閉じる方向に付勢するバネ１１４とを備え、ドアアーム１１３ｂ、１１３ｃの回転軸１１３ｄ、１１３ｅとは反対側にそれぞれ近接し、投影が閉状態のドアアーム１１３ｂ、１１３ｃとフロントパネル１１１とで囲まれた空間に収まり、投影の一部が開状態のドアアーム１１３ｂ、１１３ｃに重なる平板状のリブ１１１ｄ、１１１ｅをフロントパネル１１１に一体成形構成とする。（例えば、特許文献１参照）。
【０００３】
ところが、これにおいては、トレイドア１１３を開けた際に、開口部から内部の機構が全て見えてしまい、不都合が生じると共に外観が悪いという問題があった。
【０００４】
第２の従来技術を図７に示す。この従来の回転軸支持構造は、図７に示すように、捩じりコイルバネ２１６の端部の形状変更により、部品の追加なしで回転軸２１５のスライド方向Ｅ、Ｄの動きを防止するとともに、軸受けの一部に軸装着用として設けられていた開放端を無くす構造にすることにより、扉２１４のガタ付きを無くす。（例えば、特許文献２参照）。
【０００５】
ところが、これにおいては、扉２１４を取り外すときにコイルバネ２１６を外し難いために、扉２１４の取り付け取り外しが行い難いという問題があった。
【０００６】
第３の従来技術を図８（ａ）（ｂ）（ｃ）に示す。この従来のシャッター取付構造は、図８（ａ）（ｂ）（ｃ）に示すように、ディスクを載置するディスクトレイの出し入れとともに開閉するシャッター３４９と、シャッター３４９を支持するフロントベゼル３４６とを有するディスク装置において、シャッター３４９の長手方向両端部に設けられ、シャッター３４９を回転可能に支持し、その回転中心となる軸部３９１ａ、３９１ｂの外周面に、円周部３９３ａ、３９３ｂと、少なくとも一対の平面部３９２ａ、３９２ｂとを設けるとともに、フロントベゼル３４６に設けられ、軸部３９１ａ、３９１ｂを支持する凹部３７０ａ、３７０ｂの上方に軸部３９１ａ、３９１ｂを案内する案内溝部３７１ａ、３７１ｂを設け、一対の平面部３９２ａ、３９２ｂの間隔と、案内溝部３７１ａ、３７１ｂの幅をほぼ等しくする。（例えば、特許文献３参照）。
【０００７】
ところが、これにおいては、各部の形状が複雑であるために、構造が複雑であるという問題があり、更に、シャッター３４９がフロントベゼル３４６から抜けて外れやすいという問題があった。
【０００８】
第４の従来技術を図９、図１０に示す。この従来の記録メディア再生装置のスロット部における開閉ドア支持装置は、図９、図１０に示すように、スロット部Ｓ１の開口４０２を形成するパネルカバー４０６から内側に向けて形成され、開口４０２の両サイド上部付近に位置する突起部４０６Ａと、突起部４０６Ａに相対してその下部に差し向けられるとともに、開閉ドア４０３の上端部４０３Ａを軸支するための先端支持部４０７Ａと、この先端支持部４０７Ａより内側に延びてスロット部Ｓ１の両サイド奥方に位置し、板バネ４０８により下方に向けて弾性的に付勢される基端部４０７Ｂとをそれぞれ有し、これら先端支持部４０７Ａから基端部４０７Ｂに至るまでの中間支点４０７Ｃを揺動中心として支持される一対のブラケット４０７とを有するものである。（例えば、特許文献４参照）
ところが、これにおいては、部品点数が多いとともに形状が複雑であるために構造が複雑であるという問題があった。
【特許文献１】実用新案登録第３１０９８３３号公報
【特許文献２】特開２００５−７６６９１号公報
【特許文献３】特開２００２−２９８５６４号公報
【特許文献４】特開２００２−５０１６３号広報
【発明の開示】
【発明が解決しようとする課題】
【０００９】
本発明は、上記従来の問題に鑑みてなされたものであって、構造が簡単であり、トレイドアが外れることを防止でき、しかも、フロントパネルの開口部から内部の機構を見え難くすることができ、外観が良いとともに不都合が生じない光ディスク装置を提供することを目的としている。
【課題を解決するための手段】
【００１０】
本発明は、上記課題を解決するために提案されたものであって、請求項１に記載の発明は、開口部を有するフロントパネルと、前記開口部から出入りし、光ディスクを載置するディスクトレイと、前記開口部を塞ぐドア本体とこのドア本体から略コ字形に突出した２つのドアアームとこのドアアームを前記フロントパネルに回動可能に取付ける２つの回転軸とを有し、前記ディスクトレイに押されて開くトレイドアと、一方の前記回転軸に巻回され前記トレイドアを閉じる方向に付勢するバネとを備えた光ディスク装置において、前記フロントパネルの前記開口部の下壁に一体に設けられ上向きに突出するリブの両端部を、前記ドアアームに近接する位置まで延設したことを特徴としている。
【００１１】
請求項２に記載の発明は、開口部を有するフロントパネルと、前記開口部から出入りし、光ディスクを載置するディスクトレイと、前記開口部を塞ぐドア本体とこのドア本体から略コ字形に突出した２つのドアアームとこのドアアームを前記フロントパネルに回動可能に取付ける２つの回転軸とを有し、前記ディスクトレイに押されて開くトレイドアと、一方の前記回転軸に巻回され前記トレイドアを閉じる方向に付勢するバネとを備えた光ディスク装置において、前記フロントパネルの前記開口部の下壁に、上向きに突出し両端部が前記ドアアームに近接する箇所に位置するリブを設けたことを特徴としている。
【発明の効果】
【００１２】
請求項１に記載の発明によれば、リブの両端部がトレイドアのドアアームに近接した位置にあることにより、トレイドアが湾曲した際に、ドアアームがリブの両端部に当接するから、このトレイドアが外れることを防止することができる。また、リブの両端部がフロントパネルにおけるトレイドアのドアアームに近接する箇所まで位置するから、フロントパネルの開口部の下側端部をこのリブで塞ぐことになって開口部を小さくすることができ、この開口部から内部の機構を見え難くすることができて外観が良いとともに不都合が生じない効果を奏する。
【００１３】
請求項２に記載の発明によれば、リブの両端部がドアアームに近接する箇所に位置していることにより、トレイドアが湾曲した際に、ドアアームがリブの両端部に当接するから、このトレイドアが外れることを防止することができる。また、リブの両端部がフロントパネルにおけるトレイドアのドアアームに近接する箇所まで位置するから、フロントパネルの開口部の下側端部をこのリブで塞ぐことになって開口部を小さくすることができ、この開口部から内部の機構を見え難くすることができて外観が良いとともに不都合が生じない効果を奏する。
【発明を実施するための最良の形態】
【００１４】
以下、本発明に係る光ディスク装置の実施の形態について、図を参照しつつ説明する。
【００１５】
図１は本発明の光ディスク装置のフロントパネルの開口部部分の裏面図、図２は図１の縦断面図、図３は図２においてトレイドアが開いた状態の縦断面図である。
【００１６】
本実施形態の光ディスク装置は、図１、図２、図３に示すように、フロントパネル１に開口部１ａが設けられ、この開口部１ａがトレイドア２のドア本体２ａで開閉されるようになっている。この開口部１ａから図３に示すように、光ディスクを載置するディスクトレイ３が出し入れされるようになっている。ドア本体２ａの両側から略コ字形の２つのドアアーム２ｂ、２ｃが突出形成され、ドアアーム２ｂ、２ｃの下端にはフロントパネル１に設けられた軸受け部１ｂ、１ｃに挿入される回転軸２ｄ、２ｅが外向きに突出形成されている。一方の回転軸２ｄには、トレイドア２を閉じる方向に付勢するバネ４が巻回されている。更に、フロントパネル１の開口部１ａの下壁１ｄには、その両端部がドアアーム２ｂ、２ｃに近接する位置まで延びる上向きのリブ５がフロントパネル１と一体に形成されている。
【００１７】
従って、本実施形態によれば、リブ５の両端部がトレイドア２のドアアーム２ｂ、２ｃに近接した位置にあることにより、トレイドア２が湾曲した際に、ドアアーム２ｂ、２ｃがリブ５の両端部に当接するから、このトレイドア２が外れることを防止することができる。また、リブ５の両端部がフロントパネル１におけるトレイドア２のドアアーム２ｂ、２ｃに近接する箇所まで位置するから、フロントパネル１の開口部１ａの下側端部をこのリブ５で塞ぐことになって開口部１ａを小さくすることができ、この開口部１ａから内部の機構を見え難くすることができて外観が良いとともに不都合が生じない。
【図面の簡単な説明】
【００１８】
【図１】本発明の光ディスク装置のフロントパネルの開口部部分の裏面図である。
【図２】図１の縦断面図である。
【図３】図２においてトレイドアが開いた状態の縦断面図である。
【図４】従来の光ディスク装置のフロントパネルの開口部分の裏面図である。
【図５】図４におけるＡ−Ａ線断面図である。
【図６】図５においてトレイドアが開いた状態の断面図である。
【図７】従来の回転軸支持機構を示す正面図である。
【図８】従来のシャッター取付構造を示し、（ａ）はその分解状態の断面図、（ｂ）はそのシャッターの軸部の拡大正面図、（ｃ）はその開口部分を示す断面図である。
【図９】従来の記録メディア再生装置のスロット部の内部構造側面を示す側面図である。
【図１０】同装置の開閉ドアを開口の内側に取付ける際の動作を示す側面図である。
【符号の説明】
【００１９】
１          フロントパネル
１ａ        開口部
１ｂ        軸受け部
１ｃ        軸受け部
１ｄ        下壁
２          トレイドア
２ａ        ドア本体
２ｂ        ドアアーム
２ｃ        ドアアーム
２ｄ        回転軸
２ｅ        回転軸
３          ディスクトレイ
４          バネ
５          リブ
【図１】
2007328843.tif 000003
【図２】
2007328843.tif 000004
【図３】
2007328843.tif 000005
【図４】
2007328843.tif 000006
【図５】
2007328843.tif 000007
【図６】
2007328843.tif 000008
【図７】
2007328843.tif 000009
【図８】
2007328843.tif 000010
【図９】
2007328843.tif 000011
【図１０】
2007328843.tif 000012